(57)【要約】【課題】アルバムを再生表示する際に、被写体画像に存在する人物を効果的に表示できるようにする仕組みを提供する。【解決手段】システム制御部１４０は、記録媒体２００に記録されている被写体画像の中からアルバムを作成する対象となる被写体画像を選抜し、当該選抜された被写体画像ごとに当該被写体画像が人物画像であるか否かを判断し、当該判断で人物画像であると判断された被写体画像から切り出し範囲を判定する。続いて、当該切り出し範囲に人物画像における人物の顔が収まるか否かを判断し、当該判断の結果、切り出し範囲に人物の顔が収まる場合には、被写体画像を切り出し範囲で切り出した切り出し画像に対して強調効果を付与し、切り出し範囲に人物の顔が収まらない場合には、被写体画像に対して強調効果を付与する。【選択図】図２
2015126525.tif 000002
【特許請求の範囲】
【請求項１】
被写体を撮影するための撮像手段と、
前記撮像手段により得られた被写体画像を記録媒体に記録する記録手段と、
前記記録媒体に記録されている被写体画像の中から、アルバムを作成する対象となる被写体画像を選抜する選抜手段と、
前記選抜手段で選抜された被写体画像ごとに、当該被写体画像が人物画像であるか否かを判断する第１の判断手段と、
前記第１の判断手段により前記人物画像であると判断された被写体画像から、切り出し範囲を判定する切り出し範囲判定手段と、
前記切り出し範囲に前記人物画像における人物の顔が収まるか否かを判断する第２の判断手段と、
前記第２の判断手段による判断の結果、前記切り出し範囲に前記人物の顔が収まる場合に、前記人物画像であると判断された被写体画像を前記切り出し範囲で切り出して切り出し画像を表示する処理を行う第１の表示処理手段と、
前記第２の判断手段による判断の結果、前記切り出し範囲に前記人物の顔が収まらない場合に、前記人物画像であると判断された被写体画像を前記切り出し範囲で切り出さずに表示する処理を行う第２の表示処理手段と、
前記第１の表示処理手段により表示された切り出し画像および前記第２の表示処理手段により表示された被写体画像に対して、スライド表示およびズーム表示のうちの少なくとも一方の表示を行って強調効果を付与する処理を行う強調効果付与処理手段と
を有することを特徴とする撮像装置。
【請求項２】
前記人物画像であると判断された被写体画像から当該人物画像における人物の顔の位置を判定する顔位置判定手段を更に有し、
前記切り出し範囲判定手段は、前記顔位置判定手段により判定された前記人物の顔の位置に基づいて前記切り出し範囲を判定することを特徴とする請求項１に記載の撮像装置。
【請求項３】
前記切り出し範囲判定手段により判定される前記切り出し範囲は、作成する前記アルバムによって変わることを特徴とする請求項１または２に記載の撮像装置。
【請求項４】
前記第１の判断手段により前記人物画像でないと判断された被写体画像については、前記強調効果付与処理手段による前記強調効果を弱めること、および、前記切り出し範囲による切り出しよりも低い倍率で切り出すことのうちの少なくともいずれか一方を行って、前記人物画像を際立たせることを特徴とする請求項１乃至３のいずれか１項に記載の撮像装置。
【請求項５】
前記切り出し範囲判定手段により判定される前記切り出し範囲の判定方法は、前記人物画像に複数の人物が存在している場合と１人の人物が存在している場合とで変わることを特徴とする請求項１乃至４のいずれか１項に記載の撮像装置。
【請求項６】
前記人物画像に複数の人物が存在している場合には、範囲選択枠に基づいて前記切り出し範囲を判定し、前記人物画像に１人の人物が存在している場合には、当該１人の人物の顔の位置に基づいて前記切り出し範囲を判定することを特徴とする請求項５に記載の撮像装置。
【請求項７】
デュアルキャプチャモードによる撮影を含む特殊の撮影により得られた画像については、前記強調効果付与処理手段による前記強調効果を付与する処理を行わないことを特徴とする請求項１乃至６のいずれか１項に記載の撮像装置。
【請求項８】
被写体を撮影するための撮像手段を備える撮像装置の制御方法であって、
前記撮像手段により得られた被写体画像を記録媒体に記録する記録ステップと、
前記記録媒体に記録されている被写体画像の中から、アルバムを作成する対象となる被写体画像を選抜する選抜ステップと、
前記選抜ステップで選抜された被写体画像ごとに、当該被写体画像が人物画像であるか否かを判断する第１の判断ステップと、
前記第１の判断ステップにより前記人物画像であると判断された被写体画像から、切り出し範囲を判定する切り出し範囲判定ステップと、
前記切り出し範囲に前記人物画像における人物の顔が収まるか否かを判断する第２の判断ステップと、
前記第２の判断ステップによる判断の結果、前記切り出し範囲に前記人物の顔が収まる場合に、前記人物画像であると判断された被写体画像を前記切り出し範囲で切り出して切り出し画像を表示する処理を行う第１の表示処理ステップと、
前記第２の判断ステップによる判断の結果、前記切り出し範囲に前記人物の顔が収まらない場合に、前記人物画像であると判断された被写体画像を前記切り出し範囲で切り出さずに表示する処理を行う第２の表示処理ステップと、
前記第１の表示処理ステップにより表示された切り出し画像および前記第２の表示処理ステップにより表示された被写体画像に対して、スライド表示およびズーム表示のうちの少なくとも一方の表示を行って強調効果を付与する処理を行う強調効果付与処理ステップと
を有することを特徴とする撮像装置の制御方法。
【請求項９】
被写体を撮影するための撮像手段を備える撮像装置の制御方法をコンピュータに実行させるためのプログラムであって、
前記撮像手段により得られた被写体画像を記録媒体に記録する記録ステップと、
前記記録媒体に記録されている被写体画像の中から、アルバムを作成する対象となる被写体画像を選抜する選抜ステップと、
前記選抜ステップで選抜された被写体画像ごとに、当該被写体画像が人物画像であるか否かを判断する第１の判断ステップと、
前記第１の判断ステップにより前記人物画像であると判断された被写体画像から、切り出し範囲を判定する切り出し範囲判定ステップと、
前記切り出し範囲に前記人物画像における人物の顔が収まるか否かを判断する第２の判断ステップと、
前記第２の判断ステップによる判断の結果、前記切り出し範囲に前記人物の顔が収まる場合に、前記人物画像であると判断された被写体画像を前記切り出し範囲で切り出して切り出し画像を表示する処理を行う第１の表示処理ステップと、
前記第２の判断ステップによる判断の結果、前記切り出し範囲に前記人物の顔が収まらない場合に、前記人物画像であると判断された被写体画像を前記切り出し範囲で切り出さずに表示する処理を行う第２の表示処理ステップと、
前記第１の表示処理ステップにより表示された切り出し画像および前記第２の表示処理ステップにより表示された被写体画像に対して、スライド表示およびズーム表示のうちの少なくとも一方の表示を行って強調効果を付与する処理を行う強調効果付与処理ステップと
をコンピュータに実行させるためのプログラム。
【発明の詳細な説明】
【技術分野】
【０００１】
本発明は、被写体を撮影するための撮像部を備える撮像装置及びその制御方法、並びに、当該制御方法をコンピュータに実行させるためのプログラムに関するものである。特に、撮像部により得られた被写体画像を用いてアルバムを作成し、当該アルバムを再生表示する際の技術に用いて好適なものである。
【背景技術】
【０００２】
従来、デジタルカメラやビデオカメラ、また、携帯電話やスマートフォン等の撮像装置において、保存された静止画像や動画像を抽出してシナリオを作成し、シナリオに基づいて短編アルバム動画ファイルを作成することが行われている。そして、作成した短編アルバム動画ファイルを、上述した撮像装置やパーソナルコンピュータ等で再生し、閲覧を楽しむといった画像再生手法が提案されている。この作成されたアルバム動画ファイルを再生した際に静止画像が連続して続いた場合、いわゆるスライドショー形式で静止画像が表示される。このような場合、一定時間同じ画像が表示されることから、ユーザが退屈してしまう恐れがある。
【０００３】
この問題を解決するために、下記の特許文献１には、人物再生や風景再生時に静止画像に効果（ズームイン・アウト）をかけて、動画のように変化を付けた再生を行う手法が提案されている。
【先行技術文献】
【特許文献】
【０００４】
【特許文献１】特開２００６−２９５７２３号公報
【特許文献２】特開２０１２−４７４８号公報
【発明の概要】
【発明が解決しようとする課題】
【０００５】
しかしながら、特許文献１では、人物モードで再生する際に人物に向けてズームイン・アウトする手法は提案されているが、必ずしも、当該人物を効果的に表示するまでには至っていなかった。
【０００６】
また、特許文献２では、静止画像に登場する人物の顔画像を強調するためのエフェクトを施す手法が提案されているが、やはり、必ずしも、当該人物を効果的に表示するまでには至っていなかった。
【０００７】
本発明は、このような問題点に鑑みてなされたものであり、アルバムを再生表示する際に、被写体画像に存在する人物を効果的に表示できるようにする仕組みを提供することを目的とする。
【課題を解決するための手段】
【０００８】
本発明の撮像装置は、被写体を撮影するための撮像手段と、前記撮像手段により得られた被写体画像を記録媒体に記録する記録手段と、前記記録媒体に記録されている被写体画像の中から、アルバムを作成する対象となる被写体画像を選抜する選抜手段と、前記選抜手段で選抜された被写体画像ごとに、当該被写体画像が人物画像であるか否かを判断する第１の判断手段と、前記第１の判断手段により前記人物画像であると判断された被写体画像から、切り出し範囲を判定する切り出し範囲判定手段と、前記切り出し範囲に前記人物画像における人物の顔が収まるか否かを判断する第２の判断手段と、前記第２の判断手段による判断の結果、前記切り出し範囲に前記人物の顔が収まる場合に、前記人物画像であると判断された被写体画像を前記切り出し範囲で切り出して切り出し画像を表示する処理を行う第１の表示処理手段と、前記第２の判断手段による判断の結果、前記切り出し範囲に前記人物の顔が収まらない場合に、前記人物画像であると判断された被写体画像を前記切り出し範囲で切り出さずに表示する処理を行う第２の表示処理手段と、前記第１の表示処理手段により表示された切り出し画像および前記第２の表示処理手段により表示された被写体画像に対して、スライド表示およびズーム表示のうちの少なくとも一方の表示を行って強調効果を付与する処理を行う強調効果付与処理手段とを有する。
また、本発明は、上述した撮像装置の制御方法、及び、当該制御方法をコンピュータに実行させるためのプログラムを含む。
【発明の効果】
【０００９】
本発明によれば、アルバムを再生表示する際に、被写体画像に存在する人物を効果的に表示することができる。
【図面の簡単な説明】
【００１０】
【図１】本発明の実施形態に係るデジタルカメラの外観の一例を示す図である。
【図２】本発明の実施形態に係るデジタルカメラの内部構成の一例を示す図である。
【図３】本発明の実施形態に係るデジタルカメラの制御方法における処理手順の一例を示すフローチャートである。
【図４】図３のステップＳ３０４の静止画像記録モード処理における詳細な処理手順の一例を示すフローチャートである。
【図５】図３のステップＳ３０８の再生モード処理における詳細な処理手順の一例を示すフローチャートである。
【図６】図５のステップＳ５０６のアルバム作成処理における詳細な処理手順の一例を示すフローチャートである。
【図７】図６のステップＳ６０７の画像効果付与処理における詳細な処理手順の一例を示すフローチャートである。
【図８】本発明の実施形態を示し、図７に示す画像効果付与処理を説明するための図である。
【図９】本発明の実施形態を示し、図７に示す画像効果付与処理を説明するための図である。
【図１０】本発明の実施形態を示し、図７に示す画像効果付与処理を説明するための図である。
【発明を実施するための形態】
【００１１】
以下に、図面を参照しながら、本発明を実施するための形態（実施形態）について説明する。なお、以下に説明する実施形態では、本発明に係る撮像装置としてデジタルカメラを適用した場合の例について説明する。
【００１２】
［デジタルカメラの構成について］
まず、本発明の実施形態に係るデジタルカメラの構成について説明する。
【００１３】
図１は、本発明の実施形態に係るデジタルカメラ１００の外観の一例を示す図である。
【００１４】
図１において、記録媒体スロット１０１は、当該デジタルカメラ１００に記録媒体２００を格納するためのスロットである。記録媒体２００は、例えばメモリカードやハードディスク等からなるものである。デジタルカメラ１００は、記録媒体スロット１０１に格納された記録媒体２００と通信が可能になる。
【００１５】
図１において、コネクタ１０２は、当該デジタルカメラ１００と接続ケーブル３００とを接続するための接続部である。
【００１６】
図１において、インカメラ部（サブカメラ部）１２０は、鑑賞者や撮影者等のユーザを撮影してユーザ画像を撮像する。
【００１７】
図１において、表示部１３３は、各種の画像や各種の情報等を表示する。
【００１８】
図１において、シャッターボタン１６０は、撮影指示の入力を行うための入力部である。
【００１９】
操作部１７０は、鑑賞者や撮影者等のユーザからの各種操作指示を受け付ける各種のスイッチ、ボタン、タッチパネル等の操作部材である。
具体的に、モードダイアル１７１は、各種のモードを切り替える際に操作される操作部である。コントローラホイール１７２は、回転操作可能な操作部である。アルバムボタン１７３は、短編アルバムを作成する際に操作される操作部である。
【００２０】
電源スイッチ１８０は、電源のオン（ＯＮ）／オフ（ＯＦＦ）を切り替えるスイッチである。
【００２１】
図２は、本発明の実施形態に係るデジタルカメラ１００の内部構成の一例を示す図である。
【００２２】
図２において、メインカメラ部１１０は、被写体を撮影して被写体画像を撮像する。このメインカメラ部１１０は、撮影レンズ１１１、シャッター１１２、撮像部１１３、Ａ／Ｄ変換部１１４、画像処理部１１５、及び、バリア（レンズバリア）１１６を有して構成されている。
撮影レンズ１１１は、ズームレンズやフォーカスレンズを含むレンズ群である。
シャッター１１２は、絞り機能を備えた開閉部材である。
撮像部１１３は、被写体からの光学像をアナログの電気信号である被写体画像信号に変換するＣＣＤやＣＭＯＳ素子等で構成される撮像素子である。
Ａ／Ｄ変換部１１４は、撮像部１１３から出力されるアナログの被写体画像信号をデジタルの被写体画像信号に変換する。
画像処理部１１５は、Ａ／Ｄ変換部１１４から出力される被写体画像信号に基づく被写体画像データ、または、メモリ制御部１３０からの被写体画像データに対して、所定の画素補間処理や、縮小等のリサイズ処理、色変換処理等を行う。また、画像処理部１１５は、撮像部１１３による撮像により得られた被写体画像データを用いて所定の演算処理を行い、得られた演算結果に基づいてシステム制御部１４０が露光制御や測距制御を行う。これにより、ＴＴＬ（スルー・ザ・レンズ）方式のＡＦ（オートフォーカス）処理、ＡＥ（自動露出）処理、ＥＦ（フラッシュプリ発光）処理が行われる。さらに、画像処理部１１５は、撮像部１１３による撮像により得られた被写体画像データを用いて所定の演算処理を行い、得られた演算結果に基づいてＴＴＬ方式のＡＷＢ（オートホワイトバランス）処理も行う。
バリア１１６は、撮影レンズ１１１を含むメインカメラ部１１０を覆うことにより、メインカメラ部１１０の汚れや破損を防止する。
【００２３】
図２において、インカメラ部（サブカメラ部）１２０は、鑑賞者や撮影者等のユーザを撮影してユーザ画像を撮像する。このインカメラ部（サブカメラ部）１２０は、撮影レンズ１２１、シャッター１２２、撮像部１２３、Ａ／Ｄ変換部１２４、及び、画像処理部１２５を有して構成されている。
撮影レンズ１２１は、ズームレンズやフォーカスレンズを含むレンズ群である。
シャッター１２２は、絞り機能を備えた開閉部材である。
撮像部１２３は、鑑賞者や撮影者等のユーザからの光学像をアナログの電気信号であるユーザ画像信号に変換するＣＣＤやＣＭＯＳ素子等で構成される撮像素子である。
Ａ／Ｄ変換部１２４は、撮像部１２３から出力されるアナログのユーザ画像信号をデジタルのユーザ画像信号に変換する。
画像処理部１２５は、Ａ／Ｄ変換部１２４から出力されるユーザ画像信号に基づくユーザ画像データ、または、メモリ制御部１３０からのユーザ画像データに対して、所定の画素補間処理や、縮小等のリサイズ処理、色変換処理等を行う。さらに、画像処理部１２５は、撮像部１２３による撮像により得られたユーザ画像データを用いて所定の演算処理を行い、得られた演算結果に基づいてＴＴＬ方式のＡＷＢ（オートホワイトバランス）処理も行う。なお、図２に示す例では、画像処理部１１５及び１２５を設けているが、１つの画像処理部のみを設ける形態であってもよい。
【００２４】
Ａ／Ｄ変換部１１４及び１２４から出力された画像データは、それぞれ、画像処理部１１５及び１２５、並びにメモリ制御部１３０を介して、或いは、直接メモリ制御部１３０を介して、メモリ１３１に書き込まれる。このメモリ１３１は、所定枚数の静止画像データや、所定時間の動画像データ及び音声データを格納するのに十分な記憶容量を備えている。また、メモリ１３１は、画像表示用のメモリ（ビデオメモリ）を兼ねている。
【００２５】
Ｄ／Ａ変換部１３２は、メモリ１３１に格納されている表示用の画像データをアナログ信号に変換して表示部１３３に供給する。こうして、メモリ１３１に書き込まれた表示用の画像データは、Ｄ／Ａ変換部１３２を介して表示部１３３に表示される。
【００２６】
表示部１３３は、例えばＬＣＤ等で構成され、Ｄ／Ａ変換部１３２から供給されたアナログ信号の画像データに基づく画像等の表示を行う。なお、Ａ／Ｄ変換部１１４によって一度Ａ／Ｄ変換されてメモリ１３１に蓄積されたデジタル信号を、Ｄ／Ａ変換部１３２においてアナログ信号に変換し、表示部１３３に逐次転送して被写体画像として表示することにより、電子ビューファインダとして機能し、スルー画像表示を行うことができる。
【００２７】
記録媒体Ｉ／Ｆ１３４は、例えばメモリカードやハードディスク等からなる記録媒体２００とのインターフェースである。記録媒体２００は、撮影により得られた画像データ等を記録するためのものであり、具体的に、半導体メモリや磁気ディスク等から構成される。
【００２８】
システム制御部１４０は、デジタルカメラ１００の動作を統括的に制御する。また、システム制御部１４０は、メモリ制御部１３０、Ｄ／Ａ変換部１３２、表示部１３３等を制御することにより、表示部１３３への表示制御も行う。
【００２９】
不揮発性メモリ１４１は、電気的に消去・記憶可能なメモリであり、例えばＥＥＰＲＯＭ等が用いられる。不揮発性メモリ１４１には、システム制御部１４０の動作用の定数、プログラム等が記憶される。ここで、プログラムとは、本実施形態において後述する各種のフローチャートにおける処理を実行するためのプログラムである。システム制御部１４０は、不揮発性メモリ１４１に記憶されたプログラムを実行することにより、本実施形態において後述する各種のフローチャートにおける処理を実行する。
【００３０】
システムメモリ１４２は、例えばＲＡＭで構成されており、システム制御部１４０の動作用の定数、変数、不揮発性メモリ１４１から読み出したプログラム等を展開する。
【００３１】
システムタイマー１４３は、各種の制御に用いる時間や、内蔵された時計の時間を計測する計時部である。
【００３２】
モード切替スイッチ１５０は、デジタルカメラ１００（システム制御部１４０）の動作モードを静止画像記録モード、動画像記録モード、再生モード等（その他のモードも含む）のいずれかのモードに切り替えるためのスイッチである。ここで、静止画像記録モードに含まれるモードとして、オート撮影モード、オートシーン判別モード、マニュアルモード、撮影シーン別の撮影設定となる各種シーンモード、プログラムＡＥモード、カスタムモード等がある。モード切替スイッチ１５０により、静止画像記録モードに含まれるこれらのモードのいずれかに直接切り替えることができる。或いは、モード切替スイッチ１５０により、静止画像記録モードに一旦切り替えた後に、当該静止画像記録モードに含まれるこれらのモードのいずれかに、他の操作部材を用いて切り替えるようにしてもよい。同様に、動画像記録モードにも複数のモードが含まれていてもよい。
【００３３】
シャッターボタン１６０は、第１シャッタースイッチ１６１及び第２シャッタースイッチ１６２を含み構成されている。
第１シャッタースイッチ１６１は、シャッターボタン１６０の操作途中、いわゆる半押し（撮影準備指示）でオンとなり、第１シャッタースイッチ信号ＳＷ１を発生する。この第１シャッタースイッチ信号ＳＷ１を受信すると、システム制御部１４０は、ＡＦ（オートフォーカス）処理、ＡＥ（自動露出）処理、ＡＷＢ（オートホワイトバランス）処理、ＥＦ（フラッシュプリ発光）処理等の動作を開始する。
第２シャッタースイッチ１６２は、シャッターボタン１６０の操作完了、いわゆる全押し（撮影指示）でオンとなり、第２シャッタースイッチ信号ＳＷ２を発生する。この第２シャッタースイッチ信号ＳＷ２を受信すると、システム制御部１４０は、撮像部１１３からの被写体画像信号の読み出しから記録媒体２００に被写体画像データを書き込むまでの一連の撮影処理の動作を開始する。
【００３４】
操作部１７０は、ユーザが操作するための各種の操作部材から構成されており、表示部１３３に表示される種々の機能アイコンを選択操作することなどにより、場面ごとに適宜機能が割り当てられ、各種の機能ボタンとして作用する。ここで、機能ボタンとしては、例えば、終了ボタン、戻るボタン、画像送りボタン、ジャンプボタン、絞込みボタン、属性変更ボタン等がある。例えば、メニューボタンが押されると、システム制御部１４０は、各種の設定可能なメニュー画面を表示部１３３に表示する制御を行う。ユーザは、表示部１３３に表示されたメニュー画面と、上下左右の４方向ボタンやＳＥＴボタンとを用いて、直感的に各種設定を行うことができる。図１に示すコントローラホイール１７２は、操作部１７０に含まれる回転操作可能な操作部材であり、方向ボタンと共に選択項目を指示する際などに使用される。ユーザがコントローラホイール１７２を回転操作すると、その操作量に応じて電気的なパルス信号が発生し、システム制御部１４０は、このパルス信号に基づいてデジタルカメラ１００の各構成部を制御する。また、システム制御部１４０は、このパルス信号によって、コントローラホイール１７２が回転操作された角度や、何回転したか等を判定することができる。なお、コントローラホイール１７２は、回転操作が検出できる操作部材であれば、どのようなものでもよい。例えば、ユーザの回転操作に応じてコントローラホイール１７２自体が回転してパルス信号を発生するダイヤル操作部材であってもよい。また、タッチセンサからなる操作部材で、コントローラホイール１７２自体は回転せず、コントローラホイール１７２上でのユーザの指の回転動作などを検出するものであってもよい（いわゆる、タッチホイール）。
【００３５】
電源スイッチ１８０は、図１を用いて説明したように、電源オン／電源オフを切り替えるスイッチである。
【００３６】
電源制御部１９０は、電池検出回路、ＤＣ−ＤＣコンバータ、通電するブロックを切り替えるスイッチ回路等により構成され、電池の装着の有無、電池の種類、電池残量の検出等を行う。また、電源制御部１９０は、その検出結果及びシステム制御部１４０の指示に基づいてＤＣ−ＤＣコンバータを制御し、必要な電圧を必要な期間、記録媒体２００を含む各構成部へ供給する。電源部１９１は、アルカリ電池やリチウム電池等の一次電池やＮｉＣｄ電池、ＮｉＭＨ電池、Ｌｉ電池等の二次電池、ＡＣアダプター等から構成されている。
【００３７】
［デジタルカメラの動作について］
図３は、本発明の実施形態に係るデジタルカメラ１００の制御方法における処理手順の一例を示すフローチャートである。この図３に示すフローチャート各処理ステップは、システム制御部１４０が不揮発性メモリ１４１に記憶されたプログラムを実行することにより実現される。
【００３８】
なお、インカメラ部（サブカメラ部）１２０を構成する撮影レンズ１２１、シャッター１２２、撮像部１２３、Ａ／Ｄ変換部１２４及び画像処理部１２５の動作は、基本的には、メインカメラ部１１０を構成する撮影レンズ１１１、シャッター１１２、撮像部１１３、Ａ／Ｄ変換部１１４及び画像処理部１１５の動作と同様である。また、後述する図４のステップＳ４０７の顔検出、図４のステップＳ４０９の測距・測光、図４のステップＳ４１３の撮影、図４のステップＳ４１５記録の各処理については、インカメラ部（サブカメラ部）１２０も同様の処理が行われる。
【００３９】
電源スイッチ１８０が操作されて電源がオンになると、ステップＳ３０１において、システム制御部１４０は、フラグや制御変数等を初期化する初期設定を行う。
【００４０】
続いて、ステップＳ３０２において、システム制御部１４０は、記録媒体２００に記録されているファイルに関する管理処理を開始する。
【００４１】
続いて、ステップＳ３０３において、システム制御部１４０は、モード切替スイッチ１５０の設定を検出して、モード切替スイッチ１５０で設定されている動作モードが静止画像記録モードであるか否かを判断する。
【００４２】
ステップＳ３０３の判断の結果、モード切替スイッチ１５０で設定されている動作モードが静止画像記録モードである場合には（Ｓ３０３／ＹＥＳ）、ステップＳ３０４に進む。
ステップＳ３０４に進むと、システム制御部１４０は、静止画像記録モード処理を実行する。このステップＳ３０４の静止画像記録モード処理における詳細な処理手順については、図４を用いて後述する。
【００４３】
一方、ステップＳ３０３の判断の結果、モード切替スイッチ１５０で設定されている動作モードが静止画像記録モードでない場合には（Ｓ３０３／ＮＯ）、ステップＳ３０５に進む。
ステップＳ３０５に進むと、システム制御部１４０は、モード切替スイッチ１５０で設定されている動作モードが動画像記録モードであるか否かを判断する。
【００４４】
ステップＳ３０５の判断の結果、モード切替スイッチ１５０で設定されている動作モードが動画像記録モードである場合には（Ｓ３０５／ＹＥＳ）、ステップＳ３０６に進む。
ステップＳ３０６に進むと、システム制御部１４０は、動画像記録モード処理を実行する。
【００４５】
一方、ステップＳ３０５の判断の結果、モード切替スイッチ１５０で設定されている動作モードが動画像記録モードでない場合には（Ｓ３０５／ＮＯ）、ステップＳ３０７に進む。
ステップＳ３０７に進むと、システム制御部１４０は、モード切替スイッチ１５０で設定されている動作モードが再生モードであるか否かを判断する。
【００４６】
ステップＳ３０７の判断の結果、モード切替スイッチ１５０で設定されている動作モードが再生モードである場合には（Ｓ３０７／ＹＥＳ）、ステップＳ３０８に進む。
ステップＳ３０８に進むと、システム制御部１４０は、再生モード処理を実行する。このステップＳ３０８の再生モード処理における詳細な処理手順については、図５を用いて後述する。
【００４７】
一方、ステップＳ３０７の判断の結果、モード切替スイッチ１５０で設定されている動作モードが再生モードでない場合には（Ｓ３０７／ＮＯ）、ステップＳ３０９に進む。
ステップＳ３０９に進むと、システム制御部１４０は、モード切替スイッチ１５０で設定されているその他のモード処理を実行する。ここで、その他のモードとしては、例えば、記録媒体２００に格納されたファイルの送信を行う送信モード処理や、外部装置からファイルを受信して記録媒体２００に格納する受信モード処理が含まれる。
【００４８】
ステップＳ３０４の処理が終了した場合、ステップＳ３０６の処理が終了した場合、ステップＳ３０８の処理が終了した場合、或いは、ステップＳ３０９の処理が終了した場合には、ステップＳ３１０に進む。
ステップＳ３１０に進むと、システム制御部１４０は、電源スイッチ１８０がオフになったか否かを判断する。この判断の結果、電源スイッチ１８０がオフになっていない場合（即ち、電源スイッチがオンとなっている場合）には（Ｓ３１０／ＮＯ）、ステップＳ３０３に戻り、ステップＳ３０３以降の処理を再度行う。
【００４９】
一方、ステップＳ３１０の判断の結果、電源スイッチ１８０がオフになった場合には（Ｓ３１０／ＹＥＳ）、ステップＳ３１１に進む。
ステップＳ３１１に進むと、システム制御部１４０は、終了処理を行う。この終了処理には、例えば、以下の処理が含まれる。
即ち、表示部１３３の表示を終了状態に変更し、バリア１１６を閉じて撮像部１１３を保護する処理や、フラグや制御変数等を含むパラメータや設定値、設定モードを不揮発性メモリ１４１に記憶し、電源供給が不要な部分への電源を遮断する処理である。
ステップＳ３１１の処理が終了すると、図３に示すフローチャートの処理を終了する。
【００５０】
次いで、図３のステップＳ３０４の静止画像記録モード処理における詳細な処理手順について説明する。
【００５１】
図４は、図３のステップＳ３０４の静止画像記録モード処理における詳細な処理手順の一例を示すフローチャートである。なお、図４に示す静止画像記録モード処理は、モード切替スイッチ１５０により他のモードへの切り替えが行われた場合や電源スイッチ１８０がオフされた場合に、割り込み処理等により終了するものとする。
【００５２】
静止画像記録モード処理が開始されると、まず、ステップＳ４０１において、システム制御部１４０は、撮影モードを確定する処理を行う。この撮影モードの確定は、不揮発性メモリ１４１から前回の静止画像記録モード終了時における撮影モードを取得して、システムメモリ１４２に格納することでなされる。また、ここでいう撮影モードは、静止画像を撮影するための撮影モードである。
【００５３】
本実施形態に係るデジタルカメラ１００は、以下に示すような撮影モードを有する。
・オートモード：デジタルカメラ１００の各種のパラメータが、計測された露出値に基づいてデジタルカメラ１００に組み込まれたプログラムにより自動的に決定されるモード。
・マニュアルモード：デジタルカメラ１００の各種のパラメータをユーザが自由に変更可能なモード。
・シーンモード：撮影シーンに適したシャッター速度や絞り値、ストロボ発光状態、感度設定等の組み合わせが自動で設定されるモード。
【００５４】
なお、シーンモードには、以下に示すようなモードが含まれる。
・ポートレートモード：背景をぼかして人物を浮き立たせるようにして人物撮影に特化したモード。
・夜景モード：人物にストロボ光をあて背景を遅いシャッター速度で記録する、夜景シーンに特化したモード。
・風景モード：広がりのある風景シーンに特化したモード。
・ナイト＆スナップモード：三脚無しで夜景と人物をきれいに撮るのに適したモード。
・キッズ＆ペットモード：よく動き回る子供やペットをシャッターチャンスを逃さず撮影可能にしたモード。
・新緑＆紅葉モード：新緑等の木々や葉を色鮮やかに撮影するのに適したモード。
・パーティーモード：蛍光灯や電球のもとで、手振れを抑えて被写体に忠実な色味で撮影するモード。
・スノーモード：雪景色をバックにしても人物が暗くならず、青みも残さず撮影するモード。
・ビーチモード：太陽光の反射の強い海面や砂浜でも、人物などが暗くならずに撮影可能なモード。
・花火モード：打ち上げ花火を最適な露出で鮮やかに撮影するためのモード。
・水族館モード：屋内の水槽内の魚などを撮影するのに適した感度、ホワイトバランス、色味を設定するモード。
・水中モード：水中に最適なホワイトバランスに設定し、青みを押さえた色合いで撮影するモード。
・モノクロモード：白黒／セピア／青／紫／緑等の調色を選択し撮影するモード。
・極彩色モード：彩度を上げた鮮烈な色で撮影するモード。
・ライブビューモード：明るさ／色合い／鮮やかさを分かりやすい言葉で選択し絵作り可能な撮影モード。
・デュアルキャプチャモード：メインカメラ部１１０及びインカメラ部（サブカメラ部）１２０の両方を用いて、被写体及び撮影者等のユーザを同時に撮影するモード。
【００５５】
撮影モードを確定すると、続いて、ステップＳ４０２において、システム制御部１４０は、撮像部１１３の撮像処理により得られた被写体画像データに基づく被写体画像を表示部１３３に表示するスルー表示を行う制御をする。このスルー表示は、撮像部１１３の撮像処理により得られた被写体画像を記録媒体２００に記録すること無くほぼリアルタイムの動画で表示部１３３に表示するものであり、これを見て撮影者等のユーザは、画角の確認や撮影のタイミングを計ることができる。
【００５６】
続いて、ステップＳ４０３において、システム制御部１４０は、電源部１９１の残容量があるか（バッテリーがＯＫであるか）、及び、デジタルカメラ１００に記録媒体２００が装着されており残容量があるか（記録媒体がＯＫであるか）を判断する。
【００５７】
ステップＳ４０３の判断の結果、少なくとも、バッテリーがＯＫでない、または、記録媒体がＯＫではない場合には（Ｓ４０３／ＮＯ）、ステップＳ４０４に進む。
ステップＳ４０４に進むと、システム制御部１４０は、表示部１３３を用いて画像や音声により所定の警告表示を行う制御をする。その後、ステップＳ４０１に戻る。
【００５８】
一方、ステップＳ４０４の判断の結果、バッテリーがＯＫであり、且つ、記録媒体もＯＫである場合には、ステップＳ４０５に進む。
ステップＳ４０５に進むと、システム制御部１４０は、ユーザ設定に応じて不揮発性メモリ１４１等に格納された撮影設定をシステムメモリ１４２に展開して撮影パラメータの設定中であるか否かを判断する。
【００５９】
ステップＳ４０５の判断の結果、撮影パラメータの設定中である場合には（Ｓ４０５／ＹＥＳ）、ステップＳ４０６に進む。
ステップＳ４０６に進むと、システム制御部１４０は、撮影設定に応じた撮影パラメータの設定を行う。その後、ステップＳ４０５に戻る。
【００６０】
一方、ステップＳ４０５の判断の結果、撮影パラメータの設定中でない場合には（Ｓ４０５／ＮＯ）、ステップＳ４０７に進む。
ステップＳ４０７に進むと、システム制御部１４０は、スルー表示される被写体画像中に人の顔が存在するか否かを検出する顔検出処理を行う。そして、システム制御部１４０は、顔検出処理において人の顔が検出された場合、被写体画像中において検出した顔の位置座標、サイズ（幅、高さ）、検出個数、信頼性係数等を顔情報としてシステムメモリ１４２に記憶する。また、システム制御部１４０は、顔検出処理において顔が検出されなかった場合、システムメモリ１４２内の位置座標、サイズ（幅、高さ）、検出個数、信頼性係数等の領域に０を設定する。
【００６１】
続いて、ステップＳ４０８において、システム制御部１４０は、第１シャッタースイッチ１６１がオンして第１シャッタースイッチ信号ＳＷ１が発生しているか否かを判断する（撮影準備指示受付）。この判断の結果、第１シャッタースイッチ１６１がオンせず第１シャッタースイッチ信号ＳＷ１が発生していない場合には（Ｓ４０８／ＮＯ）、ステップＳ４０５に戻る。
【００６２】
一方、ステップＳ４０８の判断の結果、第１シャッタースイッチ１６１がオンして第１シャッタースイッチ信号ＳＷ１が発生している場合には（Ｓ４０８／ＹＥＳ）、ステップＳ４０９に進む。
ステップＳ４０９に進むと、システム制御部１４０は、撮影準備動作を行う。具体的に、システム制御部１４０は、測距処理を行って撮影レンズ１１１の焦点を被写体に合わせるとともに（オートフォーカス処理）、測光処理を行って絞り値及びシャッタースピードを決定する（露出決定処理）。なお、測光処理において、必要であれば、フラッシュの設定も行われる。また、ステップＳ４０７において顔が検出されていれば、検出した顔の範囲で測距を行う顔ＡＦを行うようにすることも可能である。
【００６３】
続いて、ステップＳ４１０において、システム制御部１４０は、第２シャッタースイッチ１６２がオンして第２シャッタースイッチ信号ＳＷ２が発生しているか否かを判断する（撮影指示受付）。
【００６４】
ステップＳ４１０の判断の結果、第２シャッタースイッチ１６２がオンせず第２シャッタースイッチ信号ＳＷ２が発生していない場合には（Ｓ４１０／ＮＯ）、ステップＳ４１１に進む。
ステップＳ４１１に進むと、システム制御部１４０は、第１シャッタースイッチ１６１がオンして第１シャッタースイッチ信号ＳＷ１が発生しているか否かを判断する（撮影準備指示受付）。この判断の結果、第１シャッタースイッチ１６１がオンせず第１シャッタースイッチ信号ＳＷ１が発生していない場合には（Ｓ４１１／ＮＯ）、ステップＳ４０５に戻る。一方、この判断の結果、第１シャッタースイッチ１６１がオンして第１シャッタースイッチ信号ＳＷ１が発生している場合には（Ｓ４１１／ＹＥＳ）、ステップＳ４１０に戻る。
【００６５】
また、ステップＳ４１０の判断の結果、第２シャッタースイッチ１６２がオンして第２シャッタースイッチ信号ＳＷ２が発生している場合には（Ｓ４１０／ＹＥＳ）、ステップＳ４１２に進む。
ステップＳ４１２に進むと、システム制御部１４０は、表示部１３３の表示状態をスルー表示から固定色表示（例えば黒一色の表示）の状態に制御する。
【００６６】
続いて、ステップＳ４１３において、システム制御部１４０は、露光処理や現像処理を含む被写体撮影を実行する。なお、露光処理では、撮像部１１３、Ａ／Ｄ変換部１１４を経て得られた被写体画像データが、画像処理部１１５及びメモリ制御部１３０を介して、或いはＡ／Ｄ変換部１１４から直接メモリ制御部１３０を介して、メモリ１３１に書き込まれる。また、現像処理では、システム制御部１４０が、メモリ制御部１３０、更には必要に応じて画像処理部１１５を用いて、メモリ１３１に書き込まれた被写体画像データを読み出して各種の処理を行う。
【００６７】
続いて、ステップＳ４１４において、システム制御部１４０は、ステップＳ４１３の撮影処理で得られた被写体画像データに基づく被写体画像を表示部１３３にクイックレビュー表示する制御を行う。ここで、クイックレビュー表示とは、撮影画像の確認のために、被写体の撮影後であって記録媒体２００への記録前に、予め決められた時間（レビュー時間）だけ被写体画像を表示部１３３に表示する処理である。
【００６８】
続いて、ステップＳ４１５において、システム制御部１４０は、ステップＳ４１３の撮影処理で得られた被写体画像データを画像ファイルとして記録媒体２００に対して書き込む記録処理を実行する。この際、インカメラ部（サブカメラ部）１２０を有効にしてデュアルキャプチャモードで撮影した場合、システム制御部１４０は、メインカメラ部１１０の撮影処理で得られた被写体画像データとインカメラ部（サブカメラ部）１２０の撮影処理で得られたユーザ画像データとを合成した合成画像データを、記録媒体２００に対して書き込む記録処理を実行する。
【００６９】
続いて、ステップＳ４１６において、システム制御部１４０は、第２シャッタースイッチ１６２がオンして第２シャッタースイッチ信号ＳＷ２が発生しているか否かを判断する。この判断の結果、未だ、第２シャッタースイッチ１６２がオンして第２シャッタースイッチ信号ＳＷ２が発生している場合には（Ｓ４１６／ＹＥＳ）、ステップＳ４１６で待機する。この間、システム制御部１４０は、ステップＳ４１４のクイックレビュー表示を継続する。即ち、システム制御部１４０は、ステップＳ４１５の記録処理が終了した際に、第２シャッタースイッチ１６２がオフされるまで表示部１３３におけるクイックレビュー表示を継続する。このように構成することにより、ユーザは、シャッターボタン１６０の全押し状態を継続することで、クイックレビュー表示を用いた撮影画像の確認を入念に行うことが可能となる。
【００７０】
一方、ステップＳ４１６の判断の結果、第２シャッタースイッチ１６２がオフして第２シャッタースイッチ信号ＳＷ２が発生していない場合には（Ｓ４１６／ＮＯ）、ステップＳ４１７に進む。即ち、ユーザがシャッターボタン１６０から手を放すなどして全押し状態が解除されると、ステップＳ４１７へ進む。
ステップＳ４１７に進むと、システム制御部１４０は、予め定められたクイックレビュー表示のクイックレビュー時間が経過したか否かを判断する。この判断の結果、未だ、クイックレビュー時間が経過していない場合には（Ｓ４１７／ＮＯ）、ステップＳ４１７で待機する。
【００７１】
一方、ステップＳ４１７の判断の結果、クイックレビュー時間が経過した場合には（Ｓ４１７／ＹＥＳ）、ステップＳ４１８に進む。
ステップＳ４１８に進むと、システム制御部１４０は、表示部１３３の表示状態をクイックレビュー表示からスルー表示に戻す制御を行う。この処理により、ユーザがクイックレビュー表示によって撮影画像を確認した後、表示部１３３の表示状態は、次の撮影のために撮像部１１３から被写体画像データに基づく被写体画像を逐次表示するスルー表示状態に自動的に切り替わることになる。
【００７２】
続いて、ステップＳ４１９において、システム制御部１４０は、第１シャッタースイッチ１６１がオンして第１シャッタースイッチ信号ＳＷ１が発生しているか否かを判断する。この判断の結果、第１シャッタースイッチ１６１がオンして第１シャッタースイッチ信号ＳＷ１が発生している場合には（Ｓ４１９／ＹＥＳ）、ステップＳ４１０に戻る。即ち、シャッターボタン１６０の半押し状態が継続している（第１シャッタースイッチ１６１のオンが継続している）場合には、システム制御部１４０は、ステップＳ４１０に処理を戻し、次の撮影に備える。一方、ステップＳ４１９の判断の結果、第１シャッタースイッチ１６１がオフして第１シャッタースイッチ信号ＳＷ１が発生していない場合には（Ｓ４１９／ＮＯ）、ステップＳ４０５に戻る。即ち、シャッターボタン１６０が放された状態（第１シャッタースイッチ１６１がオフ）の場合には、システム制御部１４０は、ステップＳ４０５に処理を戻し、一連の撮影動作を終えて撮影待機状態に戻る。
【００７３】
次いで、図３のステップＳ３０８の再生モード処理における詳細な処理手順について説明する。
【００７４】
図５は、図３のステップＳ３０８の再生モード処理における詳細な処理手順の一例を示すフローチャートである。
【００７５】
まず、ステップＳ５０１において、システム制御部１４０は、記録媒体２００から最新画像情報を取得する。この最新画像情報の取得を、総枚数計算や検索リスト作成よりも先に行うことで、再生モードに入ると素早くそれらの画像表示ができるというメリットがある。
【００７６】
続いて、ステップＳ５０２において、システム制御部１４０は、ユーザによりアルバムボタン１７３が押下されたか否か判断する。
【００７７】
ステップＳ５０２の判断の結果、ユーザによりアルバムボタン１７３が押下された場合には（Ｓ５０２／ＹＥＳ）、ステップＳ５０３に進む。
ステップＳ５０３に進むと、システム制御部１４０は、アルバムメニューへ遷移する制御を行う。
【００７８】
続いて、ステップＳ５０４において、システム制御部１４０は、ステップＳ５０１で取得した最新画像情報に基づいて記録媒体２００から最新画像データを読み込み、作成可能なアルバムに対応する画像データがあるか否かを判断する。
【００７９】
ステップＳ５０４の判断の結果、作成可能なアルバムに対応する画像データがある場合には（Ｓ５０４／ＹＥＳ）、ステップＳ５０５に進む。
ステップＳ５０５に進むと、システム制御部１４０は、ユーザからの指示等に基づいて、作成アルバムの選択が行われたか否かを判断する。ここで作成アルバムには、デジタルカメラ１００の辞書に認証された人物に関する月間のアルバムや、１日に関するアルバム、ある一定期間に関するアルバム、また、人物や日付、画像を任意に指定して作成可能なカスタム作成アルバム等が含まれる。
【００８０】
ステップＳ５０５の判断の結果、作成アルバムが選択された場合には（Ｓ５０５／ＹＥＳ）、ステップＳ５０６に進む。
ステップＳ５０６に進むと、システム制御部１４０は、選択されたアルバム作成処理を実行する。このステップＳ５０６のアルバム作成処理における詳細な処理手順については、図６を用いて後述する。
【００８１】
また、ステップＳ５０４の判断の結果、作成可能なアルバムに対応する画像データがない場合には（Ｓ５０４／ＮＯ）、ステップＳ５０７に進む。
ステップＳ５０７に進むと、システム制御部１４０は、アルバム選択グレーアウト処理を行い、ユーザにアルバム作成を選択できないようにする。
【００８２】
ステップＳ５０６の処理が終了した場合、ステップＳ５０５で作成アルバムが選択されなかったと判断された場合（Ｓ５０５／ＮＯ）、或いは、ステップＳ５０７の処理が終了した場合には、ステップＳ５０８に進む。
ステップＳ５０８に進むと、システム制御部１４０は、ユーザからの指示等に基づいて、アルバムモードを終了するか否かを判断する。
【００８３】
ステップＳ５０８の判断の結果、アルバムモードを終了しない場合には（Ｓ５０８／ＮＯ）、ステップＳ５０４に戻り、ステップＳ５０４以降の処理を再度行う。
【００８４】
また、ステップＳ５０２の判断の結果、ユーザによりアルバムボタン１７３が押下されなかった場合には（Ｓ５０２／ＮＯ）、ステップＳ５０９に進む。
ステップＳ５０９に進むと、システム制御部１４０は、その他の再生処理を行う。ここで、その他の再生処理とは、画像検索や、画像の削除、印刷設定、その他の再生モード処理等の、ユーザにより指示された再生処理であるものとする。
【００８５】
ステップＳ５０８でアルバムモードを終了すると判断された場合には（Ｓ５０８／ＹＥＳ）、或いは、ステップＳ５０９の処理が終了した場合には、ステップＳ５１０に進む。
ステップＳ５１０に進むと、システム制御部１４０は、ユーザからの指示等に基づいて、再生モードを終了するか否かを判断する。この判断の結果、再生モードを終了しない場合には（Ｓ５１０／ＮＯ）、ステップＳ５０２に戻り、ステップＳ５０２以降の処理を再度行う。
【００８６】
一方、ステップＳ５１０の判断の結果、再生モードを終了する場合には（Ｓ５１０／ＹＥＳ）、図５に示すフローチャートの処理を終了する。
【００８７】
次いで、図５のステップＳ５０６のアルバム作成処理における詳細な処理手順について説明する。
【００８８】
図６は、図５のステップＳ５０６のアルバム作成処理における詳細な処理手順の一例を示すフローチャートである。
【００８９】
まず、ステップＳ６０１において、システム制御部１４０は、図５のステップＳ５０５で選択された作成アルバムに応じて、記録媒体２００に記録された画像データから範囲選定処理を行う。ここで、本例では、この範囲選定処理は、１日の流れが分かるように当日内のイベントを区切り、それぞれをピックアップする処理をいうものとする。
【００９０】
続いて、ステップＳ６０２において、システム制御部１４０は、クラスタリング処理を行う。ここで、クラスタリング処理とは、抽出する画像データに偏りが無いようにする処理をいう。本実施形態では、最短距離法を用いるが他の方法を用いてもよい。
【００９１】
続いて、ステップＳ６０３において、システム制御部１４０は、間引き処理を行う。ここで、間引き処理とは、例えば白とび判定や黒つぶれ判定等を行い、白とび画像データや黒つぶれ画像データ等を省く処理をいう。
【００９２】
続いて、ステップＳ６０４において、システム制御部１４０は、セレクト処理を行う。ここで、セレクト処理とは、例えば同一シーン判定等を行い、同一シーンの画像データのうちの１つの画像データを選択等する処理をいう。
【００９３】
続いて、ステップＳ６０５において、システム制御部１４０は、ステップＳ６０１〜６０４までの処理で抽出された画像データに基づいて、再生時間を決定する処理を行う。
【００９４】
続いて、ステップＳ６０６において、システム制御部１４０は、ステップＳ６０１〜６０４までの処理で抽出された画像データを、アルバムを作成する対象となる画像データ（被写体画像データ）として選抜する画像選抜処理を行う。
【００９５】
続いて、ステップＳ６０７において、システム制御部１４０は、画像効果付与処理を行う。このステップＳ６０７の画像効果付与処理における詳細な処理手順については、図７を用いて後述する。
【００９６】
続いて、ステップＳ６０８において、システム制御部１４０は、アルバム動画再生処理を行う。ここでは、作成したアルバムの動画再生プレビューを行うことにより、ユーザにどのようなアルバムが作成されたのかを示す。
【００９７】
続いて、ステップＳ６０９において、システム制御部１４０は、ユーザからの指示等に基づいて、ステップＳ６０８で再生したアルバム動画に係る動画像を保存するか否かを判断する。
【００９８】
ステップＳ６０９の判断の結果、ステップＳ６０８で再生したアルバム動画に係る動画像を保存する場合には（Ｓ６０９／ＹＥＳ）、ステップＳ６１０に進む。
ステップＳ６１０に進むと、システム制御部１４０は、記録媒体２００に保存された過去のアルバム一覧に、アルバム動画に係る動画像としてアルバム動画ファイルを保存する処理を行う。
【００９９】
ステップＳ６１０の処理が終了した場合、或いは、ステップＳ６０９においてステップＳ６０８で再生したアルバム動画に係る動画像を保存しないと判断された場合には（Ｓ６０９／ＮＯ）、ステップＳ６１１に進む。
ステップＳ６１１に進むと、作成アルバム選択画面を表示する制御を行う。その後、図６に示すフローチャートの処理を終了する。
【０１００】
次いで、図６のステップＳ６０７の画像効果付与処理における詳細な処理手順について説明する。
【０１０１】
図７は、図６のステップＳ６０７の画像効果付与処理における詳細な処理手順の一例を示すフローチャートである。
【０１０２】
まず、ステップＳ７０１において、システム制御部１４０は、ステップＳ６０６で選抜された画像データの数Ｎを設定し、処理対象画像データｎに１を設定する。
【０１０３】
続いて、ステップＳ７０２において、システム制御部１４０は、処理対象画像データｎが静止画像データであるか否かを判断する。
【０１０４】
ステップＳ７０２の判断の結果、処理対象画像データｎが静止画像データである場合には（Ｓ７０２／ＹＥＳ）、ステップＳ７０３に進む。
ステップＳ７０３に進むと、システム制御部１４０は、処理対象画像データｎがアルバムのタイトルになる画像の画像データであるか否か判断する。
【０１０５】
ステップＳ７０３の判断の結果、処理対象画像データｎがアルバムのタイトルになる画像の画像データである場合には（Ｓ７０３／ＹＥＳ）、ステップＳ７０４に進む。
ステップＳ７０４に進むと、システム制御部１４０は、処理対象画像データｎが人物画像の画像データであるか否かを判断する。
【０１０６】
ステップＳ７０４の判断の結果、処理対象画像データｎが人物画像の画像データである場合には（Ｓ７０４／ＹＥＳ）、ステップＳ７０５に進む。
ステップＳ７０５に進むと、システム制御部１４０は、人物画像の切り出し範囲を判定する切り出し範囲判定処理を行う。ここで、タイトル表示を行う上で人物が複数人写った画像の場合、主顔のみの切り出しを行うとその周りの人物の顔が切れて表示されてしまう場合がある。そこで、本ステップでは、複数人写っている画像等の場合には、予め画像の切り出し範囲を判定する切り出し範囲判定処理を行う。また、人物アルバムのように認証情報に基づいて人物を切り出す場合には、認証顔の座標に応じて、予め画像の切り出し範囲を判定する切り出し範囲判定処理を行う。
【０１０７】
図８は、本発明の実施形態を示し、図７に示す画像効果付与処理を説明するための図である。
例えば、ステップＳ７０５の切り出し範囲判定処理では、図８（ａ）に示す画像８１０から、予め、切り出し範囲８１１を設定する。
【０１０８】
続いて、ステップＳ７０６において、システム制御部１４０は、ステップＳ７０５で判定した切り出し範囲内に人物画像における人物の顔が収まるか否かを判断する。
【０１０９】
ステップＳ７０６の判断の結果、ステップＳ７０５で判定した切り出し範囲内に人物画像における人物の顔が収まる場合には（Ｓ７０６／ＹＥＳ）、ステップＳ７０７に進む。
ステップＳ７０７に進むと、システム制御部１４０は、処理対象画像データｎを、ステップＳ７０５で判定した切り出し範囲で切り出し、切り出した切り出し画像データに基づく切り出し画像の表示処理を行う。
【０１１０】
一方、ステップＳ７０６においてステップＳ７０５で判定した切り出し範囲内に人物画像における人物の顔が収まらないと判断された場合（Ｓ７０６／ＮＯ）、或いは、ステップＳ７０４で処理対象画像データｎが人物画像の画像データでないと判断された場合には（Ｓ７０４／ＮＯ）、ステップＳ７０８に進む。
ステップＳ７０８に進むと、システム制御部１４０は、画像の切り出し処理は行わず、処理対象画像データｎに基づく画像を表示する全面表示処理を行う。なお、全面表示処理に用いる画像は、処理対象画像データｎに基づく本画像以外にラージサムネイル画像等を使用してもよい。
【０１１１】
ステップＳ７０７の処理が終了した場合、或いは、ステップＳ７０８の処理が終了した場合には、ステップＳ７０９に進む。
ステップＳ７０９に進むと、システム制御部１４０は、タイトル表示処理を行う。例えば、図８（ｂ）には、ステップＳ７０７の切り出し処理がなされた切り出し範囲８１１の画像にタイトル（人物Ｂを示すタイトル）が付された画像８２０が示されている。また、例えば、図８（ｃ）には、ステップＳ７０８の全面表示処理がなされた画像にタイトル（人物ＡＢＣを示すタイトル）が付された画像８３０が示されている。ここで、タイトルの表示は、例えば、右寄せ表示、左寄せ表示、或いは、全面表示する場合には中央に表示してもよい。
【０１１２】
また、ステップＳ７０４の判断の結果、処理対象画像データｎがアルバムのタイトルになる画像の画像データでない場合には（Ｓ７０３／ＮＯ）、処理対象画像データｎがアルバムの本編等になる画像の画像データであると判断し、ステップＳ７１０に進む。
ステップＳ７１０に進むと、システム制御部１４０は、処理対象画像データｎが人物画像の画像データであるか否かを判断する。
【０１１３】
ステップＳ７１０の判断の結果、処理対象画像データｎが人物画像の画像データである場合には（Ｓ７１０／ＹＥＳ）、ステップＳ７１１に進む。
ステップＳ７１１に進むと、システム制御部１４０は、処理対象画像データｎに複数人が存在するか否かを判断する。例えば、本ステップでは、処理対象画像データｎに複数人が存在するか否かを、当該処理対象画像データｎに対して撮影時に記録されたメタデータの情報に基づいて判断する。
【０１１４】
ステップＳ７１１の判断の結果、処理対象画像データｎに複数人が存在する場合には（Ｓ７１１／ＹＥＳ）、ステップＳ７１２に進む。
ステップＳ７１２に進むと、システム制御部１４０は、当該複数人の中に認証された顔の人物が存在するか否かを判断する。例えば、本ステップでは、複数人の中に認証された顔の人物が存在するか否かを、処理対象画像データｎに対して撮影時に記録されたメタデータの情報に基づいて判断する。
【０１１５】
ステップＳ７１２において複数人の中に認証された顔の人物が存在しないと判断された場合（Ｓ７１２／ＮＯ）、或いは、ステップＳ７１１において処理対象画像データｎに複数人が存在しないと判断された場合には（Ｓ７１１／ＮＯ）、ステップＳ７１３に進む。
ステップＳ７１３に進むと、システム制御部１４０は、処理対象画像データｎの中に主顔が存在するか否かを判断する。例えば、本ステップでは、処理対象画像データｎの中に主顔が存在するか否かを、処理対象画像データｎに対して撮影時に記録されたメタデータの情報に基づいて判断する。
【０１１６】
ステップＳ７１２において複数人の中に認証された顔の人物が存在すると判断された場合（Ｓ７１２／ＹＥＳ）、或いは、ステップＳ７１３において処理対象画像データｎの中に主顔が存在すると判断された場合（Ｓ７１３／ＹＥＳ）、ステップＳ７１４に進む。
ステップＳ７１４に進むと、システム制御部１４０は、人物画像における人物の顔の位置を判定する顔位置判定処理を行う。
【０１１７】
図９は、本発明の実施形態を示し、図７に示す画像効果付与処理を説明するための図である。
例えば、ステップＳ７１４の顔位置判定処理では、顔座標と表示部１３３の各表示領域を使用することで、図９（ａ）の画像９１０のように表示部１３３の表示領域Ａ〜Ｉのうちのどの表示領域に顔が位置しているのかを判定する。本例では、顔位置判定処理を行う表示領域を９か所とすることで、後述する強調効果付与に対するスタートのパターンを多く確保するようにする。
【０１１８】
続いて、ステップＳ７１５において、システム制御部１４０は、人物画像の切り出し範囲を判定する切り出し範囲判定処理を行う。例えば、システム制御部１４０は、ステップＳ７１４で判定された人物画像における人物の顔の位置に基づいて切り出し範囲を判定する。或いは、本ステップにより判定される切り出し範囲の判定方法を、人物画像に複数の人物が存在している場合と１人の人物が存在している場合とで変えるようにしてもよい。この場合、例えば、人物画像に複数の人物が存在している場合には、範囲選択枠（図８（ａ）の８１１）に基づいて切り出し範囲を判定し、人物画像に１人の人物が存在している場合には、当該１人の人物の顔の位置に基づいて切り出し範囲を判定する。
【０１１９】
続いて、ステップＳ７１６において、システム制御部１４０は、ステップＳ７１５で判定した切り出し範囲内に人物画像における人物の顔が収まるか否かを判断する。
【０１２０】
ステップＳ７１６の判断の結果、ステップＳ７１５で判定した切り出し範囲内に人物画像における人物の顔が収まる場合には（Ｓ７１６／ＹＥＳ）、ステップＳ７１７に進む。
ステップＳ７１７に進むと、システム制御部１４０は、処理対象画像データｎを、ステップＳ７１５で判定した切り出し範囲で切り出し、切り出した切り出し画像データに基づく切り出し画像の表示処理を行う。この時の切り出し画像の表示倍率は、表示部１３３のサイズやアスペクトに応じて決定する。
【０１２１】
続いて、ステップＳ７１８において、システム制御部１４０は、顔を強調する効果を有する顔強調効果付与処理を行う。
【０１２２】
まず、ステップＳ７１８において、処理対象画像データｎに認証顔が存在する場合には、例えば、当該認証顔の顔座標に基づいて当該認証顔に対してスライド表示による強調効果を施す。具体的に、例えば、図９（ａ）の画像９１０のように認証顔が表示部１３３の中央にある場合、例えば、図９（ｂ）の画像９２０のように認証顔に対してスライド表示による強調効果を施す。図９（ｂ）に示す例では、認証顔を右に寄せるスライド表示による強調効果を施す場合を示しているが、例えば、認証顔をその他の方向である左上、上、右上、左、左下、下、右下にスライドさせてスライド表示による強調効果を施すようにしてもよい。また、例えば、図９（ｂ）の画像９２０のように中央以外の８か所のいずれかに認証顔が存在する場合には、図９（ａ）の画像９１０のように認証顔が中央に位置するようにスライドさせてスライド表示による強調効果を施す。
【０１２３】
さらに、処理対象画像データｎに認証顔以外の顔も存在する場合には、例えば、他の顔を認証顔へ寄せるようにスライドさせてスライド表示による強調効果を施す。また、エンディング時においては、認証顔に対して切り出し処理を行い、当該切り出し画像に対してズーム表示による強調効果を施す。切り出し範囲は、上述したスライド表示による強調効果の場合と同様とする。
【０１２４】
図１０は、本発明の実施形態を示し、図７に示す画像効果付与処理を説明するための図である。
例えば、図１０（ａ）の画像１０１０のように人物Ａ、Ｂ及びＢの３人が写っている画像があり、人物Ｂの顔が認証顔である場合、図１０（ｂ）の画像１０２０のように人物Ｂの顔に対してズーム表示による強調効果を施す。これにより、アルバムの中心人物を強調して際立たせることができる。
【０１２５】
また、ステップＳ７１８において、処理対象画像データｎに認証顔が存在せず主顔が存在する場合には、主顔に対してズーム効果を施すようにし、アルバムの中心人物を強調して際立たせるようにする。
【０１２６】
また、ステップＳ７１０において処理対象画像データｎが人物画像の画像データでないと判断された場合（Ｓ７１０／ＮＯ）、ステップＳ７１３において処理対象画像データｎの中に主顔が存在しないと判断された場合（Ｓ７１３／ＮＯ）、或いは、ステップＳ７１６においてステップＳ７１５で判定した切り出し範囲が出力範囲内に収まらないと判断された場合には（Ｓ７１６／ＮＯ）、ステップＳ７１９に進む。
ステップＳ７１９に進むと、システム制御部１４０は、画像の切り取り処理は行わず、処理対象画像データｎに基づく画像を表示する全面表示処理を行う。
【０１２７】
続いて、ステップＳ７２０において、システム制御部１４０は、全面を強調する効果を有する全面強調効果付与処理を行う。例えば、本ステップでは、全面表示画像の中心に対して、ズーム表示による強調効果やスライド表示による強調効果等の全面強調効果を施す処理を行う。この全面強調効果付与処理は、作成アルバムに応じて切り替える（変更する）ようにしてもよい。例えば、この日アルバム等は、当該この１日のうちで最も印象深い画像に対して強調効果を施してもよい。
【０１２８】
ステップＳ７０９の処理が終了した場合、ステップＳ７１８の処理が終了した場合、或いは、ステップＳ７２０の処理が終了した場合には、ステップＳ７２１に進む。
ステップＳ７２１に進むと、システム制御部１４０は、キャプション付与処理を行う。このキャプション付与処理は、図８（ｂ）の画像８２０や図８（ｃ）の画像８３０のように、タイトル表示に伴い、処理対象画像データｎに基づく画像を左寄せに配置させた場合や、或いは、左寄せまた中央に配置させた場合に、当該画像を透過させることでキャプションの表示を分かりやすくする。また、キャプション付与処理を、図５のステップＳ５０５で選択された作成アルバムに応じて切り替える（変更する）ようにしてもよい。例えば、人物アルバムの場合には図８（ｂ）の画像８２０や図８（ｃ）の画像８３０のように人物名のキャプションを付与し、この日アルバムの場合には図８（ｄ）の画像８４０のように日付のキャプションを付与し、イベントアルバムの場合には図８（ｅ）の画像８５０のように期間のキャプションを付与する。
【０１２９】
ステップＳ７０２において処理対象画像データｎが静止画像データでないと判断された場合（Ｓ７０２／ＮＯ）、或いは、ステップＳ７２１の処理が終了した場合には、ステップＳ７２２に進む。
ステップＳ７２２に進むと、システム制御部１４０は、処理対象画像データｎに基づく画像に対して、必要に応じて色効果の付与する画像色効果付与処理を行う。
【０１３０】
続いて、ステップＳ７２３において、システム制御部１４０は、処理対象画像データの番号を示す変数ｎが、ステップＳ７０１で設定された画像データの数Ｎより小さいか否かを判断する。
【０１３１】
ステップＳ７２３の判断の結果、処理対象画像データの番号を示す変数ｎがステップＳ７０１で設定された画像データの数Ｎより小さい場合には（Ｓ７２３／ＹＥＳ）、ステップＳ７０１で設定された画像データの全てについては未だ処理を行っていないと判断し、ステップＳ７２４に進む。
ステップＳ７２４に進むと、処理対象画像データの番号を示す変数ｎに１を加算して、処理対象画像データの番号を示す変数ｎを変更する。その後、変更した処理対象画像データｎに対して、ステップＳ７０２以降の処理を再度行う。
【０１３２】
一方、ステップＳ７２３の判断の結果、処理対象画像データの番号を示す変数ｎがステップＳ７０１で設定された画像データの数Ｎより小さくない（即ち、以上である）場合には（Ｓ７２３／ＮＯ）、ステップＳ７０１で設定された画像データの全てについて処理を行ったと判断し、図７に示すフローチャートの処理を終了する。
【０１３３】
なお、上述した強調効果付与処理（Ｓ７１８及びＳ７２０）の対象とする画像において、デュアルキャプチャモード等の特殊なモードでの撮影により得られた静止画像（Ｐｈｏｔｏ  Ｉｎ  Ｐｈｏｔｏ等）に対して強調効果を付与してしまうと予期せぬ所で切り出し処理等がなされ効果的に表示できない恐れがあるため、この場合には、上述した強調効果付与処理による強調効果を付与する処理は行わない形態も本発明に含まれる。これにより、ユーザに違和感を与えない画像表示を行うことが可能となる。
【０１３４】
また、上述した切り出し範囲判定処理により判定される切り出し範囲は、作成するアルバムによって変わる（切り分ける）ようにしてもよい。
【０１３５】
また、図７のステップＳ７１０により人物画像でないと判断された被写体画像については、上述した強調効果付与処理（Ｓ７１８及びＳ７２０）による強調効果を弱めること、及び、図７のステップＳ７１５により判定された切り出し範囲による切り出しよりも低い倍率で切り出すことのうちの少なくともいずれか一方を行って、作成されるアルバムにおいて、人物画像を際立たせるようにする形態も本発明に含まれる。
【０１３６】
本実施形態に係るデジタルカメラ１００は、被写体を撮影するための撮像部１１３を備え、システム制御部１４０において、以下の処理を行っている。
具体的に、本実施形態に係るデジタルカメラ１００では、撮像部１１３により得られた被写体画像を記録媒体２００に記録し（Ｓ４１５：記録ステップ）、記録媒体２００に記録されている被写体画像の中からアルバムを作成する対象となる被写体画像を選抜し（Ｓ６０６：選抜ステップ）、当該選抜された被写体画像ごとに、当該被写体画像が人物画像であるか否かを判断し（Ｓ７１０：第１の判断ステップ）、第１の判断ステップにより人物画像であると判断された被写体画像から切り出し範囲を判定し（Ｓ７１５：切り出し範囲判定ステップ）、当該切り出し範囲に人物画像における人物の顔が収まるか否かを判断し（Ｓ７１６：第２の判断ステップ）、第２の判断ステップによる判断の結果、切り出し範囲に人物の顔が収まる場合に、人物画像であると判断された被写体画像を前記切り出し範囲で切り出して切り出し画像を表示する処理を行い（Ｓ７１７：第１の表示処理ステップ）、第２の判断ステップによる判断の結果、切り出し範囲に人物の顔が収まらない場合に、人物画像であると判断された被写体画像を前記切り出し範囲で切り出さずに表示する処理を行い（Ｓ７１９：第２の表示処理ステップ）、第１の表示処理ステップにより表示された切り出し画像及び第２の表示処理ステップにより表示された被写体画像に対して、スライド表示およびズーム表示のうちの少なくとも一方の表示を行って強調効果を付与する処理を行うようにしている（Ｓ７１８及びＳ７２０：強調効果付与処理ステップ）。
かかる構成によれば、切り出し範囲に人物の顔が収まる場合には、被写体画像を前記切り出し範囲で切り出した切り出し画像に対して強調効果を付与し、切り出し範囲に人物の顔が収まらない場合には、被写体画像に対して強調効果を付与するようにしたので、アルバムを再生表示する際に、被写体画像に存在する人物を効果的に表示することができる。
【０１３７】
（その他の実施形態）
また、本発明は、以下の処理を実行することによっても実現される。
即ち、上述した実施形態の機能を実現するソフトウェア（プログラム）を、ネットワーク又は各種記憶媒体を介してシステム或いは装置に供給し、そのシステム或いは装置のコンピュータ（又はＣＰＵやＭＰＵ等）がプログラムを読み出して実行する処理である。
このプログラム及び当該プログラムを記憶したコンピュータ読み取り可能な記憶媒体は、本発明に含まれる。
【０１３８】
なお、上述した本発明の実施形態は、いずれも本発明を実施するにあたっての具体化の例を示したものに過ぎず、これらによって本発明の技術的範囲が限定的に解釈されてはならないものである。即ち、本発明はその技術思想、又はその主要な特徴から逸脱することなく、様々な形で実施することができる。
【図１】
2015126525.tif 000003
【図２】
2015126525.tif 000004
【図３】
2015126525.tif 000005
【図４】
2015126525.tif 000006
【図５】
2015126525.tif 000007
【図６】
2015126525.tif 000008
【図７】
2015126525.tif 000009
【図８】
2015126525.tif 000010
【図９】
2015126525.tif 000011
【図１０】
2015126525.tif 000012